(57)【特許請求の範囲】
【請求項１】
少なくとも１次コイルと２次コイルとの２つの巻線で構成されたフライバックトランスと、制御入力端子に供給される制御信号に基づいて前記１次コイルに供給する電源をオン／オフするスイッチング素子と、前記スイッチング素子がオンからオフに変化する際に前記２次コイルに発生するフライバックパルスを整流する整流ダイオードと、前記整流ダイオードで整流された電流を充電するメインコンデンサと、前記スイッチング素子がオンまたはオフする時間幅の少なくとも一方を、前記２次コイルに発生するフライバックパルスの発生から消滅までの期間に応じて変化させるための制御信号を生成し、この制御信号を前記スイッチング素子の制御入力端子に供給する発振制御手段と、を備えた他励発振式のストロボ装置であって、
前記発振制御手段は、前記スイッチング素子の制御入力端子に供給するオン／オフ信号のデューティーが所定の値に達したときには、前記スイッチング素子の制御入力端子に供給するオン／オフ信号の時間幅を保持する、
ことを特徴とするストロボ装置。
【請求項２】
少なくとも１次コイルと２次コイルとの２つの巻線で構成されたフライバックトランスと、制御入力端子に供給される制御信号に基づいて前記１次コイルに供給する電源をオン／オフするスイッチング素子と、前記スイッチング素子がオンからオフに変化する際に前記２次コイルに発生するフライバックパルスを整流する整流ダイオードと、前記整流ダイオードで整流された電流を充電するメインコンデンサと、前記スイッチング素子がオンまたはオフする時間幅の少なくとも一方を、前記２次コイルに発生するフライバックパルスの発生から消滅までの期間に応じて変化させるための制御信号を生成し、この制御信号を前記スイッチング素子の制御入力端子に供給する発振制御手段と、電源電池の電圧を検出する電池電圧検出手段と、を備えた他励発振式のストロボ装置であって、
前記発振制御手段は、前記スイッチング素子の制御入力端子に供給するオン／オフ信号のデューティーが、前記電池電圧検出手段で検出された電池電圧に応じて設定された所定の値に達したときには、前記スイッチング素子の制御入力端子に供給するオン／オフ信号の時間幅を保持する、
ことを特徴とするストロボ装置。
【請求項３】
少なくとも１次コイルと２次コイルとの２つの巻線で構成されたフライバックトランスと、制御入力端子に供給される制御信号に基づいて前記１次コイルに供給する電源をオン／オフするスイッチング素子と、前記スイッチング素子がオンからオフに変化する際に前記２次コイルに発生するフライバックパルスを整流する整流ダイオードと、前記整流ダイオードで整流された電流を充電するメインコンデンサと、前記スイッチング素子がオンまたはオフする時間幅の少なくとも一方を、前記２次コイルに発生するフライバックパルスの発生から消滅までの期間に応じて変化させるための制御信号を生成し、この制御信号を前記スイッチング素子の制御入力端子に供給する発振制御手段と、カメラ内部の温度を測定する温度測定手段と、を備えた他励発振式のストロボ装置であって、
前記温度測定手段によってカメラ内部の温度が所定温度以上であることが検出され、かつ、前記スイッチング素子の制御入力端子に供給するオン／オフ信号のデューティーが、所定の値以上であるときには、前記発振制御手段は、前記スイッチング素子の制御入力端子に供給するオン／オフ信号の時間幅を所定の値に切り替える、
ことを特徴とするストロボ装置。
【発明の詳細な説明】
【０００１】
【発明の属する技術分野】
本発明は写真撮影の際のカメラ用照明装置（ストロボ）を制御するストロボ装置であり、特に、高い効率を有するストロボ装置に関する。
【０００２】
【従来の技術】
ストロボ装置の形式を大別すると、以下のようになっている。
・発振方式の違い
自励発振式：充電回路内に自身で発振する回路を構成する方式。
他励発振式：発振素子に外部からの発振制御信号を与える方式。
・昇圧方式の違い
フォワード式：トランス１次コイルに印加した電圧が、１次コイルと２次コイルとの巻数比に応じて昇圧されて２次コイルに出力される方式。
フライバック式：１次コイルに流れていた電流が遮断されたときに発生する逆起電圧が、２次コイルに発生する方式。
【０００３】
したがって、ストロボ装置として前記の発振方式と昇圧方式を組み合わせたものが考えられる。
なお、従来のストロボ装置には、自励発振式かつフォワード型（以下、これを自励フォワード式と呼ぶ）の昇圧回路が使用されている。
【０００４】
この自励フォワード式のストロボ装置では、発振動作を行うための回路がストロボ装置内に構成されており、２次コイルに流れるメインコンデンサへの充電電流が、１次コイルに直列接続された発振トランジスタ（バイポーラトランジスタ）のベース電流にフィードバックする構成になっているので、比較的簡単な回路構成でありながら発振動作が安定している。
【０００５】
また、自励フォワード式の昇圧回路は充電電圧が低い状態では１次コイルに大電流を流して急速な昇圧動作を行い、充電電圧が電源電圧の巻数比倍付近になると発振動作を保持するのに必要な程度の消費電流になる昇圧制御を、回路が自動的に行ってくれるので、ＣＰＵを搭載しないストロボ装置には一般に多く使用されている。
【０００６】
また、ＣＰＵ制御のカメラに搭載されるようになってからも、充電開始の際には充電開始信号をオフからオン、充電完了信号を入力して充電停止する際には、充電開始信号をＯＮからオフするだけの簡単な制御で済む理由から、やはり自励フォワード式の昇圧回路が一般に採用されてきた。
【０００７】
一方、他励発振とフライバック型を組み合わせた他励フライバック式の昇圧回路は、トランスにエネルギーを蓄えるために１次コイルに電流を流し、１次コイルの電流をオフした瞬間に２次コイルに発生するフライバックパルスをメインコンデンサに蓄えるフライバック方式の動作により、１次コイルに流れる電流の振る舞いが充電電圧に依らず一定なので消費電流制御が可能である特性を備えている。
【０００８】
また、１次コイルに接続されたスイッチング素子を外部からオン／オフ制御できるので、スイッチング素子の電流飽和とトランスの磁気飽和および過電流による発熱を起こさせないようにスイッチング素子をオン／オフ制御することで、無駄なエネルギーの放出を防止できる他励発振制御の特性を備えている。
【０００９】
これら両特性を備えているので、一定のデューティーおよび周波数の比較的簡単な発振制御信号を供給するだけで、充電開始から終了まで安定して高変換効率のストロボ充電、すなわち電池の長寿命化を図れるメリットを有している。
【００１０】
【発明が解決しようとする課題】
ところが、このフライバック式の充電回路では、フライバックパルスの発生時間が接続されたメインコンデンサの充電電圧によって著しく変化する。
【００１１】
そこで、充電時間を短縮しようと、発振トランジスタのオフ時間を、充電電圧が高くフライバックパルスの発生時間の短い充電完了間際のフライバックパルス発生時間に設定すると、充電開始直後のメインコンデンサの充電電圧が低い状態では、フライバックパルスが発生中のメインコンデンサへの充電電流がまだ流れている最中に発振トランジスタがオンし１次コイルへの通電が始まってしまう。このような状態では、１次コイルに予期せぬ過大電流が流れる現象が発生するうえに、充電の変換効率も低下してしまう。
【００１２】
したがって、発振トランジスタがオフする時間を、メインコンデンサの充電電圧が低くフライバックパルスの発生時間が長いタイミングに合わせて設定せざるを得ず、この結果、充電完了間際ではトランスのエネルギーを蓄積するにも、フライバックパルスの発生によるメインコンデンサへの充電にも、どちらにも寄与しないいわゆる「むだ時間」が発生する。このような理由で充電時間が長くなる欠点を有していた。
【００１３】
このように、充電時の消費電流制御が可能であり、かつ高変換効率というメリットがあるにもかかわらず、カメラのストロボの充電時間が長くなることは好ましい状態ではない。このような他励フライバック式のストロボ装置は、たとえば、特開平７−２２１８９号公報の中にも記載されているが、充電時間を短くするといった配慮は一切なされていない。したがって、他励フライバック式の充電回路は実用化されていなかった。
【００１４】
また、残量の少ない電池や低温下の電池は起電力が低下していることが知られている。このような電池でストロボ充電を行うとき、充電時間を短くしようと大電流を引き出そうとすると、電池の電圧を急落させる結果となり、かえって充電時間が長くなってしまったり、電池寿命を縮めるといった問題が発生する。その他、周囲の温度が高かったり、連続充電などにより発振トランジスタが放熱する間もなく温度が上昇すると、オン抵抗が上昇し導通損失が増大するばかりか、さらに大電流を流し続けると素子が破壊される危険性も発生するが、そのような配慮は一切なされていなかった。
【００１５】
本発明は上記技術的課題に鑑みてなされたものであって、高変換効率な昇圧動作を維持しながら、急速充電ならびに各種の条件に適した状態で充電することができるストロボ装置およびカメラを提供することを目的とする。
【００１６】
【課題を解決するための手段】
（１）課題を解決する発明は、他励発振式のストロボ装置であって、少なくとも１次コイルと２次コイルとの２つの巻線で構成されたフライバックトランスと、制御入力端子に供給される制御信号に基づいて前記１次コイルに供給する電源をオン／オフするスイッチング素子と、前記スイッチング素子がオンからオフに変化する際に前記２次コイルに発生するフライバックパルスを整流する整流ダイオードと、前記整流ダイオードで整流された電流を充電するメインコンデンサと、前記２次コイルに発生するフライバックパルスを検出するフライバックパルス検出手段と、前記スイッチング素子がオンまたはオフする時間幅の少なくとも一方を、前記フライバックパルス検出手段で検出された前記２次コイルに発生するフライバックパルスの発生から消滅までの期間に応じて変化させるための制御信号を生成し、この制御信号を前記スイッチング素子の制御入力端子に供給する発振制御手段と、を有することを特徴とするストロボ装置である。
【００１７】
この発明では、フライバックパルス検出手段で検出されたフライバックパルスが発生している期間を参照し、スイッチング素子がオンまたはオフする時間幅の少なくとも一方を前記２次コイルに発生するフライバックパルスの発生から消滅までの期間に応じて変化させるように制御している。このため、メインコンデンサへの充電にも、フライバックトランスにおけるエネルギー蓄積にも寄与していない、いわゆる「むだ時間」の発生を防止することができる。
【００１８】
これにより、他励フライバック式の動作により高変換効率で昇圧動作を行いつつ、かつ、スイッチング素子のオン／オフ時間幅の制御によって無駄を省いた高速な充電をすることが可能になる。
【００１９】
（２）課題を解決する発明は、他励発振式のストロボ装置であって、少なくとも１次コイルと２次コイルとの２つの巻線で構成されたフライバックトランスと、制御入力端子に供給される制御信号に基づいて前記１次コイルに供給する電源をオン／オフするスイッチング素子と、前記スイッチング素子がオンからオフに変化する際に前記２次コイルに発生するフライバックパルスを整流する整流ダイオードと、前記整流ダイオードで整流された電流を充電するメインコンデンサと、前記２次コイルに発生するフライバックパルスを検出するフライバックパルス検出手段と、前記フライバックパルスが発生している期間を参照し、前記スイッチング素子がオフする時間幅を、前記フライバックパルス検出手段で検出された前記２次コイルに発生するフライバックパルスの発生から消滅までの期間に略等しくなるように制御するための制御信号を生成し、この制御信号を前記スイッチング素子の制御入力端子に供給する発振制御手段と、を有することを特徴とするストロボ装置である。
【００２０】
この発明では、フライバックパルス検出手段で検出されたフライバックパルスが発生している期間を参照し、スイッチング素子がオフする時間幅を前記２次コイルに発生するフライバックパルスの発生から消滅までの期間に応じて変化させるように制御している。このため、メインコンデンサへの充電に寄与していない、いわゆる「むだ時間」の発生を防止することができる。
【００２１】
これにより、他励フライバック式の動作により高変換効率で昇圧動作を行いつつ、かつ、スイッチング素子のオフ時間幅の制御によって無駄を省いた高速な充電をすることが可能になる。
【００２２】
（３）課題を解決する発明は、前記フライバックパルス検出手段は、前記１次コイルの電圧によりフライバックパルスの発生を検出する、ことを特徴とする（１）または（２）のストロボ装置である。
【００２３】
この発明では、スイッチング素子のスイッチングの時間幅を前記２次コイルに発生するフライバックパルスの発生から消滅までの期間に応じて変化させるように制御する際に、フライバックトランスの１次コイルの電圧によりフライバックパルスの発生している期間を検出するようにしている。
【００２４】
なお、１次コイルには２次コイル出力と同波形で電圧値だけが異なる波形が出力されているので、１次コイルに発生するフライバックパルスの出力を検出すれば、比較的低電圧かつ充電電流をロスすることなくでフライバックパルスの検出が行えるため、フライバックパルス検出手段を簡易にすることができる。また、充電電圧や充電時間などから推測する場合に比較して正確にフライバックパルスの時間幅の検出を行える。
【００２５】
これにより、スイッチング素子のオン／オフ時間幅の正確な制御によって無駄を省いた高速な充電をすることが可能になる。
（４）請求項１記載の発明は、少なくとも１次コイルと２次コイルとの２つの巻線で構成されたフライバックトランスと、制御入力端子に供給される制御信号に基づいて前記１次コイルに供給する電源をオン／オフするスイッチング素子と、前記スイッチング素子がオンからオフに変化する際に前記２次コイルに発生するフライバックパルスを整流する整流ダイオードと、前記整流ダイオードで整流された電流を充電するメインコンデンサと、前記スイッチング素子がオンまたはオフする時間幅の少なくとも一方を、前記２次コイルに発生するフライバックパルスの発生から消滅までの期間に応じて変化させるための制御信号を生成し、この制御信号を前記スイッチング素子の制御入力端子に供給する発振制御手段と、を備えた他励発振式のストロボ装置であって、前記発振制御手段は、前記スイッチング素子の制御入力端子に供給するオン／オフ信号のデューティーが所定の値に達したときには、前記スイッチング素子の制御入力端子に供給するオン／オフ信号の時間幅を保持する、ことを特徴とするストロボ装置である。
【００２６】
この発明では、スイッチング素子の制御入力端子に供給するオン／オフ信号のデューティーが所定の値に達したときには、オン／オフ信号の時間幅を保持するようにしているので、デューティーを適正な値で保持して、発熱を抑制することが可能になる。
【００２７】
（５）請求項２記載の発明は、少なくとも１次コイルと２次コイルとの２つの巻線で構成されたフライバックトランスと、制御入力端子に供給される制御信号に基づいて前記１次コイルに供給する電源をオン／オフするスイッチング素子と、前記スイッチング素子がオンからオフに変化する際に前記２次コイルに発生するフライバックパルスを整流する整流ダイオードと、前記整流ダイオードで整流された電流を充電するメインコンデンサと、前記スイッチング素子がオンまたはオフする時間幅の少なくとも一方を、前記２次コイルに発生するフライバックパルスの発生から消滅までの期間に応じて変化させるための制御信号を生成し、この制御信号を前記スイッチング素子の制御入力端子に供給する発振制御手段と、電源電池の電圧を検出する電池電圧検出手段と、を備えた他励発振式のストロボ装置であって、前記発振制御手段は、前記スイッチング素子の制御入力端子に供給するオン／オフ信号のデューティーが、前記電池電圧検出手段で検出された電池電圧に応じて設定された所定の値に達したときには、前記スイッチング素子の制御入力端子に供給するオン／オフ信号の時間幅を保持する、ことを特徴とするストロボ装置である。
【００２８】
この発明では、スイッチング素子の制御入力端子に供給するオン／オフ信号のデューティーが、電池電圧検出手段で検出された電池電圧に応じて設定された所定の値に達したときには、オン／オフ信号の時間幅を保持するようにしている。
【００２９】
そして、起電力の弱った電池に対して、スイッチング素子がオンする時間幅を増大させないように制御しているので、電池への負担が軽減される。これにより、電池への負担を軽減させた充電をすることができる。
【００３０】
（６）請求項３記載の発明は、少なくとも１次コイルと２次コイルとの２つの巻線で構成されたフライバックトランスと、制御入力端子に供給される制御信号に基づいて前記１次コイルに供給する電源をオン／オフするスイッチング素子と、前記スイッチング素子がオンからオフに変化する際に前記２次コイルに発生するフライバックパルスを整流する整流ダイオードと、前記整流ダイオードで整流された電流を充電するメインコンデンサと、前記スイッチング素子がオンまたはオフする時間幅の少なくとも一方を、前記２次コイルに発生するフライバックパルスの発生から消滅までの期間に応じて変化させるための制御信号を生成し、この制御信号を前記スイッチング素子の制御入力端子に供給する発振制御手段と、カメラ内部の温度を測定する温度測定手段と、を備えた他励発振式のストロボ装置であって、前記温度測定手段によってカメラ内部の温度が所定温度以上であることが検出され、かつ、前記スイッチング素子の制御入力端子に供給するオン／オフ信号のデューティーが、所定の値以上であるときには、前記発振制御手段は、前記スイッチング素子の制御入力端子に供給するオン／オフ信号の時間幅を所定の値に切り替える、ことを特徴とするストロボ装置である。
【００３１】
この発明では、カメラ内部の温度が所定温度以上であることが検出され、かつ、スイッチング素子の制御入力端子に供給するオン／オフ信号のデューティーが所定の値以上であるときには、オン／オフ信号の時間幅を所定の値に切り替えるようにしている。すなわち、スイッチング素子の過熱を検出し、それ以上の発熱を抑えた低いデューティーに切り替えることが可能になる。
【００３２】
（７）課題を解決する発明は、少なくとも１次コイルと２次コイルとの２つの巻線で構成されたフライバックトランスと、制御入力端子に供給される制御信号に基づいて前記１次コイルに供給する電源をオン／オフするスイッチング素子と、前記スイッチング素子がオンからオフに変化する際に前記２次コイルに発生するフライバックパルスを整流する整流ダイオードと、前記整流ダイオードで整流された電流を充電するメインコンデンサと、前記スイッチング素子がオンまたはオフするための制御信号を生成し、この制御信号を前記スイッチング素子の制御入力端子に供給する発振制御手段と、メインコンデンサの充電電圧を検出する充電電圧検出手段と、前記充電電圧検出手段での検出結果に基づいてアクセス可能な各アドレスに、充電電圧に応じて定められた前記制御信号のデータを記憶する記憶手段と、を備えた他励発振式のストロボ装置であって、前記発振制御手段は、充電時に前記充電電圧検出手段での検出結果に応じて選択されたアドレスからデータを読み出して制御信号として出力する、ことを特徴とするストロボ装置である。
【００３３】
この発明では、充電時に充電電圧の検出結果に応じて選択されたアドレスからデータを読み出して制御信号として出力するようにしている。
この結果、充電電圧に応じて予め求めておいた適切な制御が行われるので、むだ時間の発生が防止できるようになる。
【００３４】
（８）課題を解決する発明は、電源電池の電圧を検出する電池電圧検出手段を備え、前記発振制御手段は、充電時に前記充電電圧検出手段での検出結果に応じて選択されたアドレスを、前記電池電圧検出手段で検出された電池電圧に応じて変化させ、この変化後のアドレスからデータを読み出して制御信号として出力する、ことを特徴とする（７）のストロボ装置である。
【００３５】
この発明では、充電時に充電電圧の検出結果に応じて選択されたアドレスを、電池電圧に応じて変化させ、この変化後のアドレスからデータを読み出して制御信号として出力するようにしている。
【００３６】
この結果、充電に用いられている電池の電池電圧を参照することで、起電力の弱った電池に対しても適切な制御が行えるようになる。
（９）課題を解決する発明は、他励発振式のストロボ装置であって、少なくとも１次コイルと２次コイルとの２つの巻線で構成されたフライバックトランスと、制御入力端子に供給される制御信号に基づいて前記１次コイルに供給する電源をオン／オフするスイッチング素子と、前記スイッチング素子がオンからオフに変化する際に前記２次コイルに発生するフライバックパルスを整流する整流ダイオードと、前記整流ダイオードで整流された電流を充電するメインコンデンサと、メインコンデンサの充電開始から計測を開始するタイマ手段と、前記タイマ手段での計測結果に基づいてアクセス可能な各アドレスに、充電開始から計測を開始する前記タイマ手段での計測結果に応じて定められた制御信号のデータを記憶する記憶手段と、前記スイッチング素子がオンまたはオフさせるための制御信号を前記スイッチング素子の制御入力端子に供給する発振制御手段と、を備え、前記発振制御手段は、充電時に前記タイマ手段での計測結果に応じて選択されたアドレスからデータを読み出して制御信号として出力する、ことを特徴とするストロボ装置である。
【００３７】
この発明では、充電開始からの経過時間を参照し、この経過時間に対応してテーブルに格納されているオン／オフ時間のデータを読み出し、スイッチング素子がオン／オフする時間幅を変化させるように制御している。
【００３８】
このため、メインコンデンサへの充電にも、フライバックトランスにおけるエネルギー蓄積にも寄与していない、いわゆる「むだ時間」の発生を防止することができる。これにより、他励フライバック式の動作により高変換効率で昇圧動作を行いつつ、かつ、スイッチング素子のオン／オフ時間幅の制御によって無駄を省いた高速な充電をすることが可能になる。
【００３９】
（１０）課題を解決する発明は、電源電池の電圧を検出する電池電圧検出手段を備え、前記発振制御手段は、充電時に前記タイマ手段での計測結果に応じて選択されたアドレスを、前記電池電圧検出手段で検出された電池電圧に応じて変化させ、この変化後のアドレスからデータを読み出して制御信号として出力する、ことを特徴とする（９）のストロボ装置である。
【００４０】
この発明では、充電経過時間に対応してテーブルに格納されているオン／オフ時間のデータを読み出す際に、電池電圧に応じて読み出しアドレスのシフトを行うようにしている。
【００４１】
このため、充電時間だけでなく電池電圧の変動にも応じて、メインコンデンサへの充電とフライバックトランスにおけるエネルギー蓄積とに寄与していない、いわゆる「むだ時間」の発生を防止することができる。
【００４２】
この結果、充電に用いられている電池の電池電圧を参照することで、起電力の弱った電池に対しても適切な制御が行えるようになる。
（１１）課題を解決する発明は、他励発振式のストロボ装置であって、少なくとも１次コイルと２次コイルとの２つの巻線で構成されたフライバックトランスと、制御入力端子に供給される制御信号に基づいて前記１次コイルに供給する電源をオン／オフするスイッチング素子と、前記スイッチング素子がオンからオフに変化する際に前記２次コイルに発生するフライバックパルスを整流する整流ダイオードと、前記整流ダイオードで整流された電流を充電するメインコンデンサと、前記メインコンデンサの充電開始から計測を開始するタイマ手段と、前記タイマ手段での計測結果に応じ、前記スイッチング素子がオンまたはオフする時間幅の少なくとも一方を前記２次コイルに発生するフライバックパルスの発生から消滅までの期間に応じて変化させるための制御信号を生成し、この制御信号を前記スイッチング素子の制御入力端子に供給する発振制御手段と、を備え、前記発振制御手段は、直前の撮影時のストロボ発光時間を参照して、メインコンデンサの残量電圧に応じた経過時間を前記タイマの初期値に設定し、その初期値からの充電を開始する、ことを特徴とするストロボ装置である。
【００４３】
この発明では、直前の撮影時のストロボ発光時間を参照して、メインコンデンサの残量電圧に応じた経過時間をタイマの初期値に設定し、その初期値からの充電を開始するようにしている。
【００４４】
このため、メインコンデンサの残量電圧に応じて適した充電制御が行われ、むだ時間の発生を防止できるようになる。
（１２）課題を解決する発明は、カメラに設けられた他励発振式のストロボ装置であって、少なくとも１次コイルと２次コイルとの２つの巻線で構成されたフライバックトランスと、制御入力端子に供給される制御信号に基づいて前記１次コイルに供給する電源をオン／オフするスイッチング素子と、前記スイッチング素子がオンからオフに変化する際に前記２次コイルに発生するフライバックパルスを整流する整流ダイオードと、前記整流ダイオードで整流された電流を充電するメインコンデンサと、前記メインコンデンサの充電開始から計測を開始するタイマ手段と、前記タイマ手段での計測結果に応じ、前記スイッチング素子がオンまたはオフする時間幅の少なくとも一方を前記２次コイルに発生するフライバックパルスの発生から消滅までの期間に応じて変化させるための制御信号を生成し、この制御信号を前記スイッチング素子の制御入力端子に供給する発振制御手段と、を備え、前記発振制御手段は、カメラの何らかの動作があった際にメインコンデンサの充電を中断させると共に、中断した時点での前記タイマ手段の計測結果を保持し、前記動作が完了した際に前記保持した計測結果の時点からの充電を再開させる、ことを特徴とするストロボ装置である。
【００４５】
この発明では、カメラの何らかの動作があった際にメインコンデンサの充電を中断させると共に、動作が完了した時点で、中断時点の計測結果の時点からの充電を再開させるようにしている。
【００４６】
このため、メインコンデンサの残量電圧に応じて適した充電制御が行われ、むだ時間の発生を防止できるようになる。また、何らかの動作の際にストロボ充電を中断するので、起電力の弱った電池でも使用可能である。
【００４７】
（１３）課題を解決する発明は、他励発振式のストロボ装置であって、少なくとも１次コイルと２次コイルとの２つの巻線で構成されたフライバックトランスと、制御入力端子に供給される制御信号に基づいて前記１次コイルに供給する電源をオン／オフするスイッチング素子と、前記スイッチング素子がオンからオフに変化する際に前記２次コイルに発生するフライバックパルスを整流する整流ダイオードと、前記整流ダイオードで整流された電流を充電するメインコンデンサと、前記メインコンデンサの充電開始から計測を開始するタイマ手段と、前記タイマ手段での計測結果に応じ、前記スイッチング素子がオンまたはオフする時間幅の少なくとも一方を前記２次コイルに発生するフライバックパルスの発生から消滅までの期間に応じて変化させるための制御信号を生成し、この制御信号を前記スイッチング素子の制御入力端子に供給する発振制御手段と、を備え、前記発振制御手段は、前記タイマ手段での計測結果が所定の時間を超えた場合には、前記スイッチング素子の制御入力端子に電流を減らすための所定のオン／オフの時間幅の制御信号を供給する、ことを特徴とするストロボ装置である。
【００４８】
この発明では、充電開始からの経過時間を参照し、スイッチング素子がオン／オフする時間幅を変化させるように制御している。このため、メインコンデンサへの充電にも、フライバックトランスにおけるエネルギー蓄積にも寄与していない、いわゆる「むだ時間」の発生を防止することができる。
【００４９】
そして、電池の起電力が弱まった等の理由により充電時間が伸びた場合には、電流を減らすように制御しているので、電池への負担が軽減される。これにより、無駄を省きつつ、電池への負担を軽減させた充電をすることができる。
【００５０】
また、発振トランジスタが発熱し、オン抵抗が上昇することによる導通損失の増加によって充電時間が伸びた場合には、電流を減らすように制御しているので、発振トランジスタの過熱が防止される。これにより、発振トランジスタの過熱による素子破壊を防ぐことができる。
【００５１】
以上のように、ストロボ充電の状況を把握する検出手段を用いずとも、あるいは、用いたとしても検出が困難なストロボの充電状況を判定して、適切な制御を行うことができる。
【００５２】
（１４）課題を解決する発明は、他励発振式のストロボ装置であって、少なくとも１次コイルと２次コイルとの２つの巻線で構成されたフライバックトランスと、制御入力端子に供給される制御信号に基づいて前記１次コイルに供給する電源をオン／オフするスイッチング素子と、前記スイッチング素子がオンからオフに変化する際に前記２次コイルに発生するフライバックパルスを整流する整流ダイオードと、前記整流ダイオードで整流された電流を充電するメインコンデンサと、前記メインコンデンサの充電開始から計測を開始するタイマ手段と、前記タイマ手段での計測結果に応じ、前記スイッチング素子がオンまたはオフする時間幅の少なくとも一方を前記２次コイルに発生するフライバックパルスの発生から消滅までの期間に応じて変化させるための制御信号を生成し、この制御信号を前記スイッチング素子の制御入力端子に供給する発振制御手段と、を備え、前記発振制御手段は、前記タイマ手段での計測結果が所定の第１の時間を超えた場合には、電流を減らすための所定のオン／オフの時間幅の制御信号を生成し、前記タイマ手段での計測結果が前記第１の時間より長い所定の第２の時間を超えた場合には、電流を遮断するための制御信号を生成する、ことを特徴とするストロボ装置である。
【００５３】
この発明では、充電開始からの経過時間を参照し、スイッチング素子がオン／オフする時間幅を変化させるように制御している。このため、メインコンデンサへの充電にも、フライバックトランスにおけるエネルギー蓄積にも寄与していない、いわゆる「むだ時間」の発生を防止することができる。
【００５４】
そして、電池の起電力が弱まった等の理由により充電時間が伸びた場合には、第１段階で電流を減らし、第２段階で電流を遮断するように制御しているので、電池への負担が軽減される。これにより、無駄を省きつつ、電池への負担を軽減させた充電をすることができると共に、電流遮断によりカメラとしての他の機能を維持するような制御が可能になる。
【００５５】
また、発振トランジスタの過熱により充電時間が異常に伸びた場合であっても、電流遮断により素子破壊を防止し安全性を確保できる。
（１５）課題を解決する発明は、以上の（１）〜（１４）のいずれかのストロボ装置を備えたことを特徴とするカメラである。
【００５６】
この発明のカメラでは、以上（１）〜（１４）に説明したように、高変換効率な昇圧動作を維持しながら、急速充電ならびに各種の条件に応じて定められた状態で充電することができるストロボ装置を備えたカメラを実現できる。
【００５７】
【発明の実施の形態】
以下に、本発明の実施の形態例を詳細に説明する。
＜第１の実施の形態例＞
まず、図１を参照して本実施の形態例で使用するストロボ装置の全体構成について説明する。この図１は本発明の実施の形態のストロボ装置の全体の電気的な概略構成を示す機能ブロック図である。
【００５８】
この図１に示す本実施の形態例におけるストロボ装置は、他励発振でフライバック回路を組み合わせて用いる他励フライバック式のストロボ装置である。
他励フライバック式の昇圧回路は、トランスにエネルギーを蓄えるために１次コイルに電流を流し、１次コイルの電流をオフした瞬間に２次コイルに発生するフライバックパルスをメインコンデンサに蓄えるフライバック方式の動作により、１次コイルに流れる電流の振る舞いが充電電圧に依らず一定なので消費電流制御が可能である特性を備えている。
【００５９】
また、１次コイルに接続されたスイッチング素子を外部からオン／オフ制御できるので、スイッチング素子の電流飽和とトランスの磁気飽和および過電流による発熱を起こさせないようにスイッチング素子をオン／オフ制御することで、無駄なエネルギーの放出を防止できる他励発振制御の特性を備えている。
【００６０】
これら両特性を備えているので、一定のデューティーおよび周波数の比較的簡単な発振制御信号を供給するだけで、充電開始から終了まで安定して高変換効率のストロボ充電、すなわち電池の長寿命化を図れるメリットを有している。
【００６１】
ここで、１はストロボ装置やカメラ（図示せず）各部を制御するＣＰＵであり、後述するスイッチング素子のオン／オフを制御するための制御信号を生成して、この制御信号をスイッチング素子の制御入力端子に供給する制御手段である。
【００６２】
１０は電源電圧を供給するための電源電池であり、カメラ（図示せず）各部や本実施の形態例のストロボ装置に電源を供給するものである。
２０は電源コンデンサであり、電源電池１０と並列に接続されている。この電源コンデンサ２０は、望ましくは、電源電池１０の内部抵抗と電源電池１０からの電源供給の際の線路抵抗との加算値よりも低インピーダンスなものである。
【００６３】
３０は制御入力端子ＧにＣＰＵ１から供給される制御信号に基づいて、後述する１次コイルに供給する電流をオン／オフするスイッチング素子である。このスイッチング素子３０は、望ましくは、低電圧駆動であり、かつ、電源電池１０の内部抵抗と電源電池１０からの電源供給の際の線路抵抗との加算値よりもオン抵抗が低い電圧制御素子（ＦＥＴ）が望ましい。ただし、このスイッチング素子３０は、電圧制御素子（電界効果トランジスタ（ＦＥＴ））の代わりに、バイポーラトランジスタを使用することも可能である。
【００６４】
Ｔは１次コイルに発生するフライバックパルスを昇圧して２次コイルに出力するフライバックトランスであり、１次コイルはスイッチング素子３０と直列に接続されている。
【００６５】
ＤはフライバックトランスＴの２次コイルに発生するフライバックパルスを整流する整流ダイオードであり、端子間容量が小さい素子であることが望ましい。４０は整流ダイオードＤにより整流された電流をストロボ発光のために蓄積するメインコンデンサである。なお、このメインコンデンサ４０には、図示されていないストロボ発光回路などが接続されるものとする。
【００６６】
また、５０はフライバックトランスＴの２次コイルの一端でフライバックパルスの検出を行うパルス検出部であり、ダイオードと分圧抵抗などにより構成されるものであって、フライバックパルスの検出結果はＣＰＵ１に供給される。
【００６７】
なお、図２は同様なストロボ装置の回路構成を示すものであり、パルス検出部５０がフライバックトランスＴの１次コイルの一端でフライバックパルスの検出を行っているものである。
【００６８】
以下、本実施の形態例のストロボ装置の動作を図３と図４とを参照して説明する。なお、図３は本実施の形態例のストロボ装置の充電開始からの時間ｔとメインコンデンサ４０の充電電圧Ｖとの関係の一例を示す特性図、図４はストロボ装置の動作状態における各部の波形を示すタイムチャートである。
【００６９】
ＣＰＵ１は充電開始の時点より、スイッチング素子３０をオン／オフ制御するためにＣＰＵの動作電圧と同レベルの制御信号（図４（ａ））を発生する。この制御信号はスイッチング素子３０の制御入力端子（ゲート（Ｇ））に供給されており、制御信号に応じてドレイン（Ｄ）とソース（Ｓ）間が導通（オン）と遮断（オフ）とに切り替わる。
【００７０】
ここで、スイッチング素子３０が導通状態にあると、スイッチング素子３０のオン抵抗とフライバックトランスＴの1次巻き線の抵抗分に応じた電流が流れる。
【００７１】
そして、制御信号がオフになるとスイッチング素子３０も速やかに遮断状態になる。このとき、１次巻き線のインダクタンスと流れていた電流値とに応じて逆起電力が発生する。
【００７２】
なお、無負荷時においては、フライバックパルスがストロボ装置では一般に数マイクロ秒〜十数マイクロ秒の発生時間で、数百Ｖ〜１ｋＶ程度のパルスとなって２次コイルから出力される。
【００７３】
なお、無負荷・メインコンデンサなしの状態のフライバックパルスの様子を図４（ｂ）に示す。すなわち、スイッチング素子３０が導通状態にあるときには負の電圧が現れ、スイッチング素子３０が遮断状態になったときには逆起電力のパルスが正の電圧になるようにトランスの極性を設定しておく。
【００７４】
また、このフライバック式のストロボ装置では、１次コイルに電源電池から電流が流れる期間と、２次コイルからメインコンデンサへの充電電流が流れる期間とが、連動して別タイミングで発生する充電方式なので、スイッチング素子３０がＯＮして１次コイルに電流が流れる振る舞いは充電電圧に関係なく一定となる。従って、ストロボ充電中の消費電流を制御することが可能になる。
【００７５】
そして、この２次コイルに現れたフライバックパルスが整流ダイオードＤにより整流されることにより、メインコンデンサ４０に充電電流が流れる。
なお、図４（ｃ）はメインコンデンサ４０が低電圧である充電開始時（図３Ａ点付近）におけるメインコンデンサ４０を充電するための電圧の波形を示しており、図４（ｄ）はメインコンデンサ４０が低電圧である充電開始時（図３Ａ点付近）におけるメインコンデンサ４０への充電電流の波形を示している。
【００７６】
また、図４（ｅ）はメインコンデンサ４０が比較的高電圧になる充電終了時付近（図３Ｂ点付近）におけるメインコンデンサ４０を充電するための電圧の波形を示しており、図４（ｆ）はメインコンデンサ４０が比較的高電圧になる充電終了時付近（図３Ｂ点付近）におけるメインコンデンサ４０への充電電流の波形を示している。
【００７７】
このような場合、図４（ｄ）と図４（ｆ）との比較で明らかなように、充電が進んでメインコンデンサ４０が高電圧になるに従って、充電に寄与しない期間が増えてくる。すなわち、スイッチング素子３０が遮断状態になって直後のフライバックパルス発生時より後の期間が、メインコンデンサへの充電にも、フライバックトランスにおけるエネルギー蓄積にも寄与していないむだ時間になっている。
【００７８】
そこで、このような状態では、パルス検出部５０でフライバックパルスが発生していることを検出し、その検出結果を受けたＣＰＵ１が発生する制御信号について、フライバックパルスの発生から消滅までの期間と制御信号のオフの時間幅とを略一致させるようにする。
【００７９】
ここで、フライバックパルスの発生から消滅までの期間と制御信号のオフの時間幅とを略一致させるとは、
・オンの時間幅は不変，オフの時間幅を短縮，
・オンの時間幅を延長，オフの時間幅を短縮，
・オンの時間幅を延長，オフの時間幅を不変，
のいずれであってもよい。
【００８０】
また、このようにむだ時間の発生を防止し、一定時間に発生するフライバックパルスを多く、または大きくする制御をすることで急速充電が可能になる。また、この場合には、充電が進むにつれて消費電流が大きくなるが、フライバックパルスの消滅を待ってから発振トランジスタをオンしているので、充電電流が流れている途中で発振トランジスタをオンするような制御にならず、高変換効率な状態を維持したまま充電することができる。
【００８１】
なお、図５はストロボ装置の回路構成を示すものであり、パルス検出部５０がフライバックトランスＴの１次コイルの一端でフライバックパルスの検出を行っているものの詳細を示している。
【００８２】
ここでは、充電中にトランジスタ５１をオンし、抵抗５２と抵抗５３とで抵抗分圧された部分の電圧をＡ／Ｄ変換してパルス検出部５０がモニタする。入力電圧の立ち下がり（図中▲１▼）を検出して、パルス検出部５０はＣＰＵ１にスイッチング素子３０のオンを促す信号を出力する。
【００８３】
なお、スイッチング素子３０がオフする時間幅をフライバックパルスの発生から消滅までの期間に略等しくなるように制御し続けるとき、充電完了付近の高充電電圧でスイッチング素子３０のデューティーが大きくなりすぎると、充電回路に大電流が入力されることになるので、スイッチング素子３０やその他の電子部品が発熱し過熱状態となる。この熱による電力損失によって昇圧充電の効率が低下するうえに、さらに過熱状態が続くとスイッチング素子３０の安全動作領域を超えて素子破壊を起こしかねない。
【００８４】
そこで、この実施の形態例では、スイッチング素子３０に供給する制御信号のオン／オフ時間のデューティーが所定のデューティーに達したら、オン／オフ信号の時間幅を保持することにより、上記のような現象を防止することができる。例えば、通常状態では、６５％をデューティーの上限として定めるようにする。
【００８５】
＜第２の実施の形態例＞
図６は本発明の第２の実施の形態例のストロボ装置の第１の構成を示す構成図である。
【００８６】
図１に示したストロボ装置と異なる部分は、テーブル６０を備えていることである。このテーブル６０はスイッチング素子３０のオン時間とオフ時間とのデータが格納されているテーブルであり、充電開始からの経過時間またはメインコンデンサの充電電圧に応じてアドレス選択され、スイッチング素子３０への制御信号を切り替える順に格納されている。
【００８７】
図７は充電開始からの経過時間に応じて選択されるアドレスに、スイッチング素子３０のオン時間とオフ時間とが格納されたテーブルの内容の一例を示している。既に説明した図４にあるように、充電開始から時間が経過するに従ってオフ時間を減らすことでむだ時間を削減できるため、そのようなデータが格納されている。
【００８８】
このようなテーブル６０を備えたストロボ装置の場合、ＣＰＵ１はタイマカウンタに初期値“０”と、次の制御信号切り換えのタイミングの時間である“０．２秒”をセットしタイマをスタートすると共に、テーブルの最初のアドレスに格納されているオン／オフ時間を参照して、スイッチング素子３０に対する制御信号を出力することにより充電を開始する。また、このタイマカウンタはタイマスタートからの経過時間を計測し、予めセットしておいた所定のタイマ値を計測すると何らかのフラグを反転し、プログラムから所定時間の経過を検出できるように構成されている。
【００８９】
したがって、ＣＰＵ１は０．２秒経過のフラグ反転を検出すると、次の制御信号切り替えタイミングの時間である０．５秒をタイマに再セットすると共に、テーブル６０のインクリメントしたアドレスに格納されたオン／オフ時間のデータを参照し、スイッチング素子３０に出力する制御信号を切り替える。
【００９０】
このように、ＣＰＵ１はタイマスタートから所定時間の経過を検出する毎に、テーブル６０から経過時間に応じたアドレスのデータを読み出して、スイッチング素子３０への制御信号を切り替えるように動作する。
【００９１】
なお、テーブル６０に格納するデータについては、スイッチング素子３０のオンとオフとによってむだ時間がなくなるようなデータを、第１の実施の形態例で示したような回路を用いてあらかじめ求めておき、そのデータを格納すればよい。
【００９２】
このように、充電時間をパラメータとして制御信号を作成してむだ時間を省く方向に制御することで、一定時間に発生するフライバックパルスを多くすることができる。従って、充電電流を増加させることにより急速充電が可能になる。また、この場合には、デューティーが若干大きくなることで電源電池からの電流が増えるが、高変換効率な充電状態は維持されている。
【００９３】
なお、図７で示したデータは一例であり、また、充電時間を更に細かく区切って多数のデータを格納するようにしてもよい。
図８は本発明の第２の実施の形態例のストロボ装置の第２の構成を示す構成図である。この図８に示すように、電池電圧検出部７０を設けると共に、テーブル６０には図９（ａ）のようなデータを格納したテーブル６０を設けておく。
【００９４】
ここで、電池電圧検出部７０で検出される電池電圧が通常レベルにあるとき（通常時）には、図９（ａ）のテーブルに従って、ＣＰＵ１はオン１０・オフ５０〜オン１０・オフ７の時間幅の制御を行う。
【００９５】
そして、電池電圧検出部７０で検出される電池電圧が低レベルにあるとき（低電圧時）には、オン時間の比率が小さくなる方向にアドレスをシフトした図９（ｂ）のテーブルに従って、ＣＰＵ１はオン１０・オフ５０〜オン１０・オフ８の時間幅の制御を行う。
【００９６】
以上のような電池電圧に応じた充電時間のアドレスのシフトについては、充電時間（充電電圧）に対応するアドレスに、電池電圧に応じたシフト値を加算したアドレスのデータを読み出すようにすればよい。
【００９７】
このように、充電時間をパラメータとして制御信号を作成してむだ時間を省く方向に制御する際に、電池電圧でテーブルのアドレスをシフトさせることで、起電力の弱った電池にあまり負担をかけずに、効率の良い充電を行うことが可能になる。
【００９８】
このような場合に、電池の電圧を複数段階に検出して、アドレスのシフトを複数段階に行うことで、さらに適正な制御が可能になる。
なお、低温環境や残量の少ない電池を使用しているときのストロボ充電では、電池から大電流を引き出そうとすると電池の起電力を急落させてしまい、かえって充電時間が延びてしまったり、たとえ充電が完了したとしてもその時点で電池電圧がカメラの他の回路を作動させるのに必要な電圧を割り込んでしまう可能性がある。
【００９９】
また、低温環境や残量の少ない電池は電池電圧を検出することにより、常温かつ十分な残量を有する電池と区別することが可能である。
そこで、この実施の形態例では、スイッチング素子３０に供給する制御信号のオン／オフ時間のデューティーが、電池電圧に応じて設定された所定のデューティーに達したら、オン／オフ信号の時間幅を保持することにより、電池の状況に応じた消費電流を制御することが可能になる。この場合、３Ｖリチウム電池を例にすると、図９（ｃ）のように設定することが可能である。
【０１００】
図１０は本発明の第２の実施の形態例のストロボ装置の第３の構成を示す構成図である。この図１０に示すように、メインコンデンサ４０の充電電圧を検知する充電電圧検出部８０を設けると共に、図１１のような充電電圧をアドレスとしたデータを格納したテーブル６０を設けておく。
【０１０１】
ここで、電圧検出部８０でメインコンデンサ４０の充電電圧を計測し、ＣＰＵ１は、その計測結果をアドレスとして与えた場合に読み出されるオン時間とオフ時間とを参照してスイッチング素子３０に対する制御信号を生成する。
【０１０２】
すなわち、このようなテーブル６０を備えたストロボ装置の場合、ＣＰＵ１はまずメインコンデンサの充電電圧をＡ／Ｄ変換によって検出する。そして、検出された充電電圧からスイッチング素子３０に対する制御信号を次に切り替えるべき充電電圧の値を、コンパレートモードのコンパレート電圧に設定すると共に、テーブル６０から前記検出した充電電圧に応じたアドレスに格納されたオン／オフ時間を参照し、スイッチング素子３０に対する制御信号を出力することにより充電を開始する。また、このコンパレートモードは、Ａ／Ｄ変換入力端子に入力される電圧と予め設定されたコンパレート電圧の大小を比較し、比較結果に応じて何らかのフラグをセットまたはリセットすることにより、プログラムから前記２電圧の大小比較結果が検出できるように構成されている。
【０１０３】
したがって、ＣＰＵ１はコンパレートモードのフラグ反転を検出すると、次に制御信号を切り替えるべき充電電圧の値をコンパレートモードのコンパレート電圧に設定すると共に、テーブル６０のインクリメントしたアドレスに格納されたオン／オフ時間のデータを参照し、スイッチング素子３０に出力する制御信号を切り替える。
【０１０４】
このように、ＣＰＵ１はコンパレートモードのフラグ反転を検出する毎に、テーブル６０から充電電圧に応じたアドレスのデータを読み出して、スイッチング素子３０への制御信号を切り替えるように動作する。
【０１０５】
なお、テーブル６０に格納するデータについては、スイッチング素子３０のオンとオフとによってむだ時間がなくなるようなデータを、第１の実施の形態例で示したような回路を用いてあらかじめ求めておき、そのデータを格納すればよい。
【０１０６】
このように、メインコンデンサ４０の充電電圧をパラメータとして制御信号を作成してむだ時間を省く方向に制御することで、一定時間に発生するフライバックパルスを多くすることができる。従って、充電電流を増加させることにより急速充電が可能になる。また、この場合には、デューティーが若干大きくなることで電源電池からの電流が増えるが、高変換効率な充電状態は維持されている。
【０１０７】
なお、図１１で示したデータは一例であり、また、充電電圧を更に細かく区切って多数のデータを格納するようにしてもよい。
＜第３の実施の形態例＞
図１２は本発明の第３の実施の形態例のストロボ装置の基本的構成（第１の構成）を示す構成図である。
【０１０８】
上述した実施の形態例で示したストロボ装置と異なる部分は、温度測定部９０を備えていることである。この温度測定部９０は環境温度を測定するものであり、とくにストロボ装置の内部の温度、望ましくはストロボ基板近傍の温度を測定する。
【０１０９】
すなわち、このストロボ装置では、測定された環境温度を参照し、スイッチング素子３０がオンまたはオフする時間幅の少なくとも一方を前記２次コイルに発生するフライバックパルスの発生から消滅までの期間に応じて変化させるように制御している。
【０１１０】
なお、高温環境や連続撮影による連続充電動作におけるストロボ充電では、電子部品が放熱することができないので徐々に過熱していく。そのような状態が続くと部品が熱破壊してしまう可能性がある。
【０１１１】
そこでこの実施の形態例では、ストロボ充電のカメラ内部の温度、望ましくはストロボ基板の温度を検出し、検出温度が所定の温度を超え、かつ、スイッチング素子３０に供給する制御信号のオン／オフ時間のデューティーが予め設定されたデューティーに達したとき、あるいは、そのデューティーを超えていたときには、前記予め設定されたオン／オフ時間に制御を切り替えて、発熱を起こさない低消費電流の充電制御に切り替えることにより、電子部品の過熱を予防することが可能である。
【０１１２】
たとえば、基板温度が１００℃以上であることを検出し、かつ、スイッチング素子３０に供給する制御信号のオン／オフ時間のデューティーが３３％を超えたときには、制御信号のオン時間を１０μｓ、オフ時間を２０μｓに設定する。
【０１１３】
図１４は本発明の第３の実施の形態例のストロボ装置の第２の構成を示す構成図である。この、図１４に示すように、充電電圧検出部８０を設けると共に、テーブル６０には図１５のようなデータを格納したテーブル６０を設け、さらに温度測定部９０を設けておく。
【０１１４】
そして、環境温度が通常範囲にあるときには、図１５（ａ）のテーブルに従って、ＣＰＵ１はスイッチングの時間幅の制御を行う。また、環境温度が通常範囲外の低温または高温にあるときには、オン時間の比率が小さくなる方向にアドレスをシフトした図１５（ｂ）のテーブルに従って、ＣＰＵ１はスイッチングの時間幅の制御を行う。
【０１１５】
このように、充電電圧検出部８０で検出される充電電圧をパラメータとして制御信号を作成してむだ時間を省く方向に制御する際に、環境温度でテーブルのアドレスをシフトさせることで、電池あるいは回路に負担をかけずに、効率の良い充電を行うことが可能になる。
【０１１６】
このような場合に、環境温度を複数段階に検出して、アドレスのシフトを複数段階に行うことで、さらに最適な充電を行うことが可能になる。
そして、このようにアドレスをシフトさせる構成によれば、テーブルを書き換えることなく、条件に応じて適切な条件のデータを読み出して制御を行うことが可能になる。
【０１１７】
また、本発明の第３の実施の形態例のストロボ装置の第３の構成として、図１３に示すような回路を用いることができる。
ここで、温度測定部９０で測定される環境温度が通常レベルにあるとき（通常温度時）には、図１６（ａ）のテーブルに従って、ＣＰＵ１はオン／オフの時間制御を行う。
【０１１８】
そして、温度測定部９０で測定される環境温度が通常範囲外レベルにあるとき（通常外温度時）には、オン時間の比率が小さくなる方向にアドレスをシフトした図１６（ｂ）のテーブルに従って、ＣＰＵ１はオン／オフの時間制御を行う。
【０１１９】
以上のような環境温度に応じた充電時間のアドレスシフトについては、充電時間に対応するアドレスに、環境温度に応じたシフト値を加算したアドレスのデータを読み出すようにすればよい。
【０１２０】
このように、充電時間をパラメータとして制御信号を作成してむだ時間を省く方向に制御する際に、環境温度でテーブルのアドレスをシフトさせることで、電池あるいは回路に負担をかけずに、急速かつ高変換効率な充電を行うことが可能になる。
【０１２１】
このような場合に、環境温度を複数段階に検出して、アドレスのシフトを複数段階に行うことで、さらに最適な充電を行うことが可能になる。
そして、このようにアドレスをシフトさせる構成によれば、テーブルを書き換えることなく、条件に応じて適切な条件のデータを読み出して制御を行うことが可能になる。
【０１２２】
＜第４の実施の形態例＞
また、ＣＰＵ１は、直前の撮影時のストロボ発光時間（非発光であれば、発光時間＝０）を参照し、このストロボ発光時間に応じた制御信号を生成する。
【０１２３】
なお、発光時間と、その発光時間から推測されるメインコンデンサの残量電圧との関係は、図１７のようになる。ここで、図１７（ａ）が発光波形を示し、図１７（ｂ）が残量電圧を示している。そして、このような場合に、発光時間とメインコンデンサの残量電圧と設定するタイマの初期値との関係については、例えば、図１８のように設定することが可能である。
【０１２４】
＜第５の実施の形態例＞
なお、ストロボ装置において、ＣＰＵ１はカメラ各部の動作状態を監視し、ズームレンズ駆動モータの動作やフォーカスモータの動作など、カメラ各部のいずれかの動作の有無を監視し、カメラのいずれかの動作があった際にメインコンデンサの充電を中断させる。そして、中断した時点での充電時間の計測結果を保持し、カメラの動作が完了した際に保持した計測結果の時点からの充電を再開させるよう制御する。
【０１２５】
このようにカメラの何らか動作（ズーム動作など）があった場合にはストロボ充電を一時的に中断することにより、カメラの電源である電池１０が小型のものであっても十分対応することができるようになる。また、中断時の状態からストロボ充電を再開するので、メインコンデンサの充電電圧ならびに各種条件に適した状態で充電を再開することができ、急速かつ高変換効率な充電を行うことが可能になる。
【０１２６】
なお、この場合、ＣＰＵ１は、ある程度の電流を必要とするカメラの動作の場合にストロボ充電を中断するようにし、電流を殆ど必要としない動作や操作ではストロボ充電を中断させなくとも構わない。
【０１２７】
＜第６の実施の形態例＞
なお、ストロボ装置において、電池１０が通常状態で使用可能な能力を有している場合には一定の充電時間（たとえば、３〜４秒）で充電が完了する。しかし、起電力の弱った電池や低温下で起電力の低下した電池、あるいはスイッチング素子の過熱による導通損失の増加、電池発熱による内部抵抗（温度ヒューズ）の上昇により、この充電時間が伸びることがある。
【０１２８】
そこで、図１９のような内容のテーブルを用意しておき、ＣＰＵ１内蔵のタイマでの充電時間の計測結果が所定の値（例えば４秒）を超えた場合には、スイッチング素子３０の制御入力端子に電流を減らすための所定のオン／オフ時間幅の制御信号を供給する。
【０１２９】
これにより、通常の電池では高速に充電が実行できるとともに、前述のように何らかの理由により充電時間が伸びた場合には、各部の負担を軽減して充電の継続が可能にある。
【０１３０】
また、充電時間がかかるほど何らかの異常の度合いが大きいので、図２０に示すように、充電時間に逆比例してデューティーを下げるようにすれば、さらに負担を軽減して充電を継続することが可能になる。
【０１３１】
そして、何らかの理由により充電時間が伸びた場合には、所定の第１の経過時間で電流を減らし、さらに、第１の時間より長い所定の第２の経過時間で電流を遮断するように制御してもよい。
【０１３２】
この場合も、各部の負担を軽減して充電を継続しつつ、さらに充電時間が異常に伸びたときには電流遮断により、カメラとしての他の機能を維持するような制御が可能になる。
【０１３３】
以上のように、ストロボ充電の状況を把握する検出手段を用いずとも、あるいは、用いたとしても検出が困難なストロボの充電状況を判定して、適切な制御を行うことができる。
【０１３４】
＜その他の実施の形態例＞
なお、以上の各実施の形態例ではストロボ装置の発明について説明してきたが、以上のいずれかのストロボ装置を備えたカメラも本発明の一実施の形態例である。
【０１３５】
すなわち、以上の各実施の形態例のストロボ装置を備えたカメラでは、以上の説明のように高変換効率な昇圧動作を維持しながら、急速充電ならびに各種の条件に応じて定められた状態で充電することができるようになる。
【０１３６】
【発明の効果】
以上説明したように、本発明によれば、高変換効率で昇圧動作を行いつつ、各種の条件を参照して適した状態で充電することができるストロボ装置を実現できる。
【図面の簡単な説明】
【図１】本発明の実施の形態例で使用するストロボ装置の構成を示すブロック図である。
【図２】本発明の実施の形態例で使用するストロボ装置の構成を示すブロック図である。
【図３】本発明の実施の形態例のストロボ装置の充電特性の一例を示す特性図である。
【図４】本発明の実施の形態例のストロボ装置における信号波形を示すタイムチャートである。
【図５】本発明の実施の形態例で使用するストロボ装置の構成を示すブロック図である。
【図６】本発明の実施の形態例で使用するストロボ装置の構成を示すブロック図である。
【図７】本発明の実施の形態例で使用するストロボ装置で使用するテーブルの内容を示す説明図である。
【図８】本発明の実施の形態例で使用するストロボ装置の構成を示すブロック図である。
【図９】本発明の実施の形態例で使用するストロボ装置で使用するテーブルの内容を示す説明図である。
【図１０】本発明の実施の形態例で使用するストロボ装置の構成を示すブロック図である。
【図１１】本発明の実施の形態例で使用するストロボ装置で使用するテーブルの内容を示す説明図である。
【図１２】本発明の実施の形態例で使用するストロボ装置の構成を示すブロック図である。
【図１３】本発明の実施の形態例で使用するストロボ装置の構成を示すブロック図である。
【図１４】本発明の実施の形態例で使用するストロボ装置の構成を示すブロック図である。
【図１５】本発明の実施の形態例で使用するストロボ装置で使用するテーブルの内容を示す説明図である。
【図１６】本発明の実施の形態例で使用するストロボ装置で使用するテーブルの内容を示す説明図である。
【図１７】本発明の実施の形態例で使用するストロボ発光の説明図である。
【図１８】本発明の実施の形態例で使用するストロボ装置で使用するテーブルの内容を示す説明図である。
【図１９】本発明の実施の形態例で使用するストロボ装置で使用するテーブルの内容を示す説明図である。
【図２０】本発明の実施の形態例で使用するストロボ装置で使用するテーブルの内容を示す説明図である。
【符号の説明】
１  ＣＰＵ
１０  電源電池
２０  電源コンデンサ
３０  スイッチング素子
４０  メインコンデンサ
５０  パルス検出部
６０  テーブル
Ｔ  フライバックトランス
Ｄ  整流ダイオード
【図１】
0003726551.tif 000002
【図２】
0003726551.tif 000003
【図３】
0003726551.tif 000004
【図４】
0003726551.tif 000005
【図５】
0003726551.tif 000006
【図６】
0003726551.tif 000007
【図７】
0003726551.tif 000008
【図８】
0003726551.tif 000009
【図９】
0003726551.tif 000010
【図１０】
0003726551.tif 000011
【図１１】
0003726551.tif 000012
【図１２】
0003726551.tif 000013
【図１３】
0003726551.tif 000014
【図１４】
0003726551.tif 000015
【図１５】
0003726551.tif 000016
【図１６】
0003726551.tif 000017
【図１７】
0003726551.tif 000018
【図１８】
0003726551.tif 000019
【図１９】
0003726551.tif 000020
【図２０】
0003726551.tif 000021